(57)【要約】【課題】  複数の対象者の生体情報を簡易な方法でモニタリングするための生体情報モニタリングシステム、生体情報モニタリング方法および生体情報モニタリングプログラムを提供する。【解決手段】  複数の対象者に取り付けられて該対象者の生体情報を測定する複数の測定機器と、該測定機器により測定された前記対象者の生体情報を表示するための観測者用の携帯可能な情報処理端末とを備え、機器通信部は、前記端末通信部から送信された送信命令に基づいて、前記一の識別情報を記憶する複数の測定機器が取り付けられた一の対象者の生体情報を、前記端末通信部に送信し、処理部は、前記端末通信部が受信した生体情報を、前記情報処理端末の表示画面に表示するための表示情報を生成する。【選択図】図１
2019022593.tif 000002
【特許請求の範囲】
【請求項１】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、
前記複数の測定機器は、
前記対象者の生体情報を測定する測定部と、
前記対象者を特定するための識別情報および前記測定部により測定された生体情報を記憶する機器記憶部と、
前記機器記憶部により記憶された識別情報を前記情報処理端末に送信する機器通信部と、
をそれぞれ有し、
前記情報処理端末は、
前記複数の対象者に取り付けられた複数の測定機器の機器通信部から送信された複数の識別情報を受信する端末通信部と、
前記複数の識別情報を、前記観測者が選択可能に表示するための表示情報を生成する処理部と、
前記観測者による前記複数の識別情報の中からの一の識別情報の選択を受け付ける選択受付部と、
を有し、
前記端末通信部は、前記選択受付部により受け付けられた一の識別情報を記憶する複数の測定機器が取り付けられた一の対象者の生体情報を送信させるための命令を前記機器通信部へ送信し、
前記機器通信部は、前記端末通信部から送信された送信命令に基づいて、前記一の識別情報を記憶する複数の測定機器が取り付けられた一の対象者の生体情報を、前記端末通信部に送信し、
前記処理部は、前記端末通信部が受信した生体情報を、前記情報処理端末の表示画面に表示するための表示情報を生成する生体情報モニタリングシステム。
【請求項２】
前記一の対象者に取り付けられる複数の測定機器に記憶される識別情報は、該複数の測定機器が前記一の対象者に取り付けられていることが識別可能な識別情報であることを特徴とする請求項１に記載の生体情報モニタリングシステム。
【請求項３】
前記複数の測定機器と前記情報処理端末との間の情報の授受は、ＢＬＥ無線通信技術を用いて行われることを特徴とする請求項１または２に記載の生体情報モニタリングシステム。
【請求項４】
前記処理部は、前記観測者により選択された一の識別情報に対応付けられた生体情報を、一つの表示画面内で表示するための表示情報を生成することを特徴とする請求項１〜３のいずれか一項に記載の生体情報モニタリングシステム。
【請求項５】
前記処理部は、前記複数の識別情報を、前記観測者が選択可能に表示するとともに、該識別情報に対応付けられた複数の測定装置の情報も選択可能に表示することを特徴とする請求項１〜４のいずれか一項に記載の生体情報モニタリングシステム。
【請求項６】
前記処理部は、前記機器通信部が、前記端末通信部から送信された送信命令に基づいて、前記一の識別情報を記憶する複数の測定機器が取り付けられた一の対象者の生体情報を、前記端末通信部に送信するための、前記観測者からの指示を受け付けるための指示ボタンを前記表示画面に表示するための表示情報を生成する請求項１〜５のいずれか一項に記載の生体情報モニタリングシステム。
【請求項７】
前記情報処理端末は、サーバ記憶部を有するサーバ装置とネットワークを介して接続され、
前記サーバ記憶部は、前記識別情報と当該識別情報が記憶された測定機器が取り付けられた対象者とを対応付けて記憶し、
前記処理部は、前記端末通信部が受信した複数の識別情報それぞれに対応付けられた対象者を、前記識別情報に代えて前記観測者が選択可能に表示するための表示情報を生成することを特徴とする請求項１〜６のいずれか一項に記載の生体情報モニタリングシステム。
【請求項８】
前記複数の測定機器は、脳内酸素飽和度モニタ、心電計、血圧計、パルスオキシメータまたはエコーから選択される２以上の測定機器であることを特徴とする請求項１〜７のいずれか一項に記載の生体情報モニタリングシステム。
【請求項９】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムにおいて実行される生体情報モニタリング方法であって、
前記複数の測定機器に、
前記対象者の生体情報を測定する測定ステップと、
前記対象者を特定するための識別情報および前記測定ステップにおいて測定された生体情報を記憶する機器記憶ステップと、
前記機器記憶ステップにおいて記憶された識別情報を前記情報処理端末に送信する機器通信ステップと、
をそれぞれ実行させ、
前記情報処理端末に、
前記複数の対象者に取り付けられた複数の測定機器の機器通信部から送信された複数の識別情報を受信する端末通信ステップと、
前記複数の識別情報を、前記観測者が選択可能に表示するための表示情報を生成する処理ステップと、
前記観測者による前記複数の識別情報の中からの一の識別情報の選択を受け付ける選択受付ステップと、
を実行させ、
前記情報処理端末は、前記選択受付ステップにおいて受け付けられた一の識別情報を記憶する複数の測定機器が取り付けられた一の対象者の生体情報を送信させるための命令を前記測定機器へ送信し、
前記測定機器は、前記情報処理端末により送信された送信命令に基づいて、前記一の識別情報を記憶する複数の測定機器が取り付けられた一の対象者の生体情報を、前記情報処理端末に送信し、
前記情報処理端末は、前記測定機器が送信して前記情報処理端末が受信した生体情報を、前記情報処理端末の表示画面に表示するための表示情報を生成する生体情報モニタリング方法。
【請求項１０】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムを実眼するための生体情報モニタリングプログラムであって、
前記情報処理端末に、
前記複数の対象者に取り付けられた複数の測定機器から送信された複数の識別情報を受信する端末通信機能と、
前記複数の識別情報を、前記観測者が選択可能に表示するための表示情報を生成する処理機能と、
前記観測者による前記複数の識別情報の中からの一の識別情報の選択を受け付ける選択受付機能と
を実現させ、
前記端末通信機能は、前記選択受付機能において受け付けられた一の識別情報を記憶する複数の測定機器が取り付けられた一の対象者の生体情報を送信させるための命令を前記測定機器へ送信し、
前記処理機能は、前記測定機器が送信して前記端末通信機能が受信した生体情報を、前記情報処理端末の表示画面に表示するための表示情報を生成する生体情報モニタリングプログラム。
【発明の詳細な説明】
【技術分野】
【０００１】
本発明は、生体情報モニタリングシステム、生体情報モニタリング方法および生体情報モニタリングプログラムに関し、特に、複数の対象者に取り付けられて該対象者の生体情報を測定する複数の測定機器と、該測定機器により測定された対象者の生体情報を表示するための観測者用の携帯可能な情報処理端末とを備える生体情報モニタリングシステム、該モニタリングシステムにおいて実行される生体情報モニタリング方法および該モニタリングシステムを実現させるための生体情報モニタリングプログラムに関する。
【背景技術】
【０００２】
従来から、複数の患者の状態を監視する生体情報監視装置として、医療機関においてナースステーションに設置されるセントラルモニタが知られている。セントラルモニタは、例えば特許文献１に示されるように、集中治療室や病室などに居る各患者のベッドサイドに設置されたベッドサイドモニタから各患者の生体情報（例えば、心電図、血圧、動脈血酸素飽和度など）を受信してそれを画面に表示するものである。同様に、特許文献２には、かかるセントラルモニタの基本画面の利用効率低下を抑制するための発明が開示されている。
【０００３】
また、ベッドサイドモニタに関連し、特許文献３には、看護師が、患者の生体情報を、携帯可能な情報処理端末の表示画面で確認するための技術も開示されている。
【０００４】
具体的には、特許文献３に開示された技術では、患者を識別するための手段として患者にリストバンド等のＩＤタグを装着させ、看護師は、ベッドに横たわる対象の患者の近くに立ち、対象の患者のＩＤタグから直接的に識別情報を取得する技術が開示されている。
【先行技術文献】
【特許文献】
【０００５】
【特許文献１】特開２００５−１２４９０３号公報
【特許文献２】特開２０１５−０００１７７号公報
【特許文献３】特開２０１６−１２３５７３号公報
【発明の概要】
【発明が解決しようとする課題】
【０００６】
しかしながら、生体情報を取得すべき複数の対象者がいる場合、従来の手法では生体情報の収集は非常に煩雑である。また、複数の対象者それぞれに複数の測定機器が取り付けられている場合、その生体情報の収集の煩雑さはより高まることが予想される。
【０００７】
したがって、本発明の目的は、複数の対象者の生体情報を簡易な方法で収集し、モニタリングするための生体情報モニタリングシステム、生体情報モニタリング方法および生体情報モニタリングプログラムを提供することにある。
【課題を解決するための手段】
【０００８】
本発明の生体情報モニタリングシステムは、複数の対象者に取り付けられて該対象者の生体情報を測定する複数の測定機器と、該測定機器により測定された対象者の生体情報を表示するための観測者用の携帯可能な情報処理端末とを備える生体情報モニタリングシステムであって、複数の測定機器は、対象者の生体情報を測定する測定部と、対象者を特定するための識別情報および測定部により測定された生体情報を記憶する機器記憶部と、機器記憶部により記憶された識別情報を情報処理端末に送信する機器通信部とをそれぞれ有し、情報処理端末は、複数の対象者に取り付けられた複数の測定機器の機器通信部から送信された複数の識別情報を受信する端末通信部と、複数の識別情報を、観測者が選択可能に表示するための表示情報を生成する処理部と、観測者による複数の識別情報の中からの一の識別情報の選択を受け付ける選択受付部とを有し、端末通信部は、選択受付部により受け付けられた一の識別情報を記憶する複数の測定機器が取り付けられた一の対象者の生体情報を送信させるための命令を機器通信部へ送信し、機器通信部は、端末通信部から送信された送信命令に基づいて、一の識別情報を記憶する複数の測定機器が取り付けられた一の対象者の生体情報を、端末通信部に送信し、処理部は、端末通信部が受信した生体情報を、情報処理端末の表示画面に表示するための表示情報を生成することを特徴とする。
【０００９】
一の対象者に取り付けられる複数の測定機器に記憶される識別情報は、該複数の測定機器が一の対象者に取り付けられていることが識別可能な識別情報とすることができる。
【００１０】
複数の測定機器と情報処理端末との間の情報の授受は、ＢＬＥ無線通信技術を用いて行われることができる。
【００１１】
処理部は、観測者により選択された一の識別情報に対応付けられた生体情報を、一つの表示画面内で表示するための表示情報を生成することができる。
【００１２】
処理部は、複数の識別情報を、観測者が選択可能に表示するとともに、該識別情報に対応付けられた複数の測定装置の情報も選択可能に表示することができる。
【００１３】
処理部は、機器通信部が、端末通信部から送信された送信命令に基づいて、一の識別情報を記憶する複数の測定機器が取り付けられた一の対象者の生体情報を、端末通信部に送信するための、観測者からの指示を受け付けるための指示ボタンを表示画面に表示するための表示情報を生成することができる。
【００１４】
情報処理端末は、サーバ記憶部を有するサーバ装置とネットワークを介して接続され、サーバ記憶部は、識別情報と当該識別情報が記憶された測定機器が取り付けられた対象者とを対応付けて記憶し、処理部は、端末通信部が受信した複数の識別情報それぞれに対応付けられた対象者を、識別情報に代えて観測者が選択可能に表示するための表示情報を生成することができる。
【００１５】
複数の測定機器は、脳内酸素飽和度モニタ、心電計、血圧計、パルスオキシメータまたはエコーから選択される２以上の測定機器とすることができる。
【００１６】
本発明の生体情報モニタリング方法は、複数の対象者に取り付けられて該対象者の生体情報を測定する複数の測定機器と、該測定機器により測定された対象者の生体情報を表示するための観測者用の携帯可能な情報処理端末とを備える生体情報モニタリングシステムにおいて実行される生体情報モニタリング方法であって、複数の測定機器に、対象者の生体情報を測定する測定ステップと、対象者を特定するための識別情報および測定ステップにおいて測定された生体情報を記憶する機器記憶ステップと、機器記憶ステップにおいて記憶された識別情報を情報処理端末に送信する機器通信ステップとをそれぞれ実行させ、情報処理端末に、複数の対象者に取り付けられた複数の測定機器の機器通信部から送信された複数の識別情報を受信する端末通信ステップと、複数の識別情報を、観測者が選択可能に表示するための表示情報を生成する処理ステップと、観測者による複数の識別情報の中からの一の識別情報の選択を受け付ける選択受付ステップとを実行させ、情報処理端末は、選択受付ステップにおいて受け付けられた一の識別情報を記憶する複数の測定機器が取り付けられた一の対象者の生体情報を送信させるための命令を測定機器へ送信し、測定機器は、情報処理端末により送信された送信命令に基づいて、一の識別情報を記憶する複数の測定機器が取り付けられた一の対象者の生体情報を、情報処理端末に送信し、情報処理端末は、測定機器が送信して情報処理端末が受信した生体情報を、情報処理端末の表示画面に表示するための表示情報を生成することを特徴とする。
【００１７】
本発明の生体情報モニタリングプログラムは、複数の対象者に取り付けられて該対象者の生体情報を測定する複数の測定機器と、該測定機器により測定された対象者の生体情報を表示するための観測者用の携帯可能な情報処理端末とを備える生体情報モニタリングシステムを実現するための生体情報モニタリングプログラムであって、情報処理端末に、複数の対象者に取り付けられた複数の測定機器から送信された複数の識別情報を受信する端末通信機能と、複数の識別情報を、観測者が選択可能に表示するための表示情報を生成する処理機能と、観測者による複数の識別情報の中からの一の識別情報の選択を受け付ける選択受付機能とを実現させ、端末通信機能は、選択受付機能において受け付けられた一の識別情報を記憶する複数の測定機器が取り付けられた一の対象者の生体情報を送信させるための命令を測定機器へ送信し、処理機能は、測定機器が送信して端末通信機能が受信した生体情報を、情報処理端末の表示画面に表示するための表示情報を生成することを特徴とする。
【発明の効果】
【００１８】
本発明の生体情報モニタリングシステム、生体情報モニタリング方法および生体情報モニタリングプログラムによれば、複数の対象者の生体情報を簡易な方法でモニタリングすることができる。
【図面の簡単な説明】
【００１９】
【図１】本発明の生体情報モニタリングシステムのイメージの一例を示す概念図である。
【図２】本発明の生体情報モニタリングシステムの構成の一例を示す構成図である。
【図３】本発明に係るデータ構成の一例を示す構成図である。
【図４】本発明に係る表示画面の一例を示す図である。
【図５】本発明に係る表示画面の一例を示す図である。
【図６】本発明の生体情報モニタリングシステムの構成の一例を示す構成図である。
【図７】本発明に係るデータ構成の一例を示す構成図である。
【図８】本発明の生体情報モニタリングシステムのイメージの一例を示す概念図である。
【図９】本発明の生体情報モニタリング方法の流れを示すフロー図である。
【図１０】本発明の生体情報モニタリングプログラムの機能構成を示す構成図である。
【発明を実施するための形態】
【００２０】
本発明の生体情報モニタリングシステム、生体情報モニタリング方法および生体情報モニタリングプログラムについて図面を参照しながら以下に詳細に説明する。
【００２１】
図１は、本発明の生体情報モニタリングシステム１０００のイメージを表した概念図である。図１に示すように、生体情報モニタリングシステムは、複数の対象者Ａ，Ｂに取り付けられて該対象者Ａ，Ｂの生体情報を測定する複数の測定機器１００と、該測定機器１００により測定された対象者の生体情報を表示するための観測者Ｘ用の携帯可能な情報処理端末２００とを備える。
【００２２】
図１では複数の対象者として２人の対象者Ａ，Ｂのみを示しているが、対象者の数は特に限定されるものではない。同様に、図１では一人の対象者に対して取り付けられる複数の測定機器として５つの測定機器のみを示しているが、測定機器の数は特に限定されるものではなく、必要に応じて様々な測定機器を取り付けることができる。
【００２３】
図２は、本発明の生体情報モニタリングシステム１０００の各部の構成の詳細を表した構成図である。
【００２４】
複数の測定機器１００は、図２に示すように、測定部１１０と、機器記憶部１２０と、機器通信部１３０とをそれぞれ有する。
【００２５】
上記測定部１１０は、対象者の生体情報を測定する。
【００２６】
ここでいう生体情報とは、対象者のバイタルサインであって、例えば、脳内酸素飽和度モニタ、心電計、血圧計、パルスオキシメータまたはエコー等の測定機器によって測定される情報とすることができる。
【００２７】
上記機器記憶部１２０は、対象者を特定するための識別情報および測定部１１０により測定された生体情報を記憶する。
【００２８】
ここでいう識別情報とは、対象者を特定するための情報であって、この対象者の特定は、直接的であってもよいし、間接的であってもよい。この特定の方法については後述する。
【００２９】
また、識別情報は、具体的には、数字やアルファベットで示される識別番号等とすることができる。また、この識別情報は、一の対象者に対して取り付けられる複数の測定機器が一つのセットと識別できるよう付与されるのが好ましい。
【００３０】
図３は、機器記憶部１２０が記憶する識別情報に関するデータ構成を示すデータ構成図である。図３に示されるように、識別番号「０００００１」が付与されるセットに含まれるそれぞれの測定機器には、この識別番号「０００００１」の冒頭に、脳内酸素飽和度モニタを示す「ＴＯＳ」、心電計を示す「ＨＢ」、血圧計を示す「ＢＰ」、パルスオキシメータを示す「ＳＰ」等のアルファベットを付した機器識別番号を付与しておくことができる。この場合、機器識別情報「０００００１」を有する測定機器のセットとして、これら複数の測定機器のセットが識別できるとともに、それぞれの測定機器の種類までも識別することができる。
【００３１】
機器通信部１３０は、機器記憶部１２０により記憶された識別情報を情報処理端末２００に送信する。
【００３２】
この送信は、無線通信等を用いて行われることができるが、通信手段の具体例については後述する。
【００３３】
上記情報処理端末２００は、端末通信部２１０と、処理部２２０と、選択受付部２３０とを有する。
【００３４】
端末通信部２１０は、複数の対象者に取り付けられた複数の測定機器１００の機器通信部１３０から送信された複数の識別情報を受信する。
【００３５】
処理部２２０は、複数の識別情報を、観測者が選択可能に表示するための表示情報を生成する。
【００３６】
選択受付部２３０は、観測者による複数の識別情報の中からの一の識別情報の選択を受け付ける。
【００３７】
そして、端末通信部２１０は、選択受付部２３０により受け付けられた一の識別情報を記憶する複数の測定機器１００が取り付けられた一の対象者の生体情報を送信させるための命令を機器通信部１３０へ送信する。
【００３８】
機器通信部１３０は、端末通信部２１０から送信された送信命令に基づいて、一の識別情報を記憶する複数の測定機器が取り付けられた一の対象者の生体情報を、端末通信部２１０に送信する。
【００３９】
処理部２２０は、端末通信部２１０が受信した生体情報を、情報処理端末２００の表示画面に表示するための表示情報を生成する。
【００４０】
かかる構成によれば、観測者は、携帯可能な情報処理装置の表示画面に表示された複数の識別情報の中から一の識別情報の選択を行うという簡易な操作だけで、当該一の識別情報を記憶する複数の測定機器が取り付けられた一の対象者の生体情報を収集し、表示画面でモニタリングすることができるようになる。
【００４１】
一の対象者に取り付けられる複数の測定機器に記憶される識別情報は、該複数の測定機器が一の対象者に取り付けられていることが識別可能な識別情報とすることができる。識別情報の詳細は上述したとおりである。
【００４２】
複数の測定機器と情報処理端末との間の情報の授受は、ＢＬＥ無線通信技術を用いて行われることができる。
【００４３】
ＢＬＥ無線通信技術は、ＢＬＥ（Bluetooth（登録商標） Low Energy）を用いる無線方式の無線通信である。本通信技術を用いることにより、例えば、約１０ｍの範囲で約２５６個の測定機器を識別可能に接続することができるが、この最大同時接続数はＢＬＥ機器の性能に依存するため、この数に限定されるものではない。
【００４４】
処理部２２０は、観測者により選択された一の識別情報に対応付けられた生体情報を、一つの表示画面内で表示するための表示情報を生成することができる。
【００４５】
図４は、表示画面の例を表したものである。図４に示すように、表示画面２４０には、一の識別情報に対応付けられた複数の生体情報が一つの画面に表示されることができる。
【００４６】
処理部２２０は、複数の識別情報を、観測者が選択可能に表示するとともに、該識別情報に対応付けられた複数の測定装置２００の情報も選択可能に表示することができる。
【００４７】
図５は、表示画面の例を表したものである。図５に示すように、表示画面２５０には、複数の識別情報が観測者が選択可能に表示されるとともに、複数の測定機器の情報も選択可能に表示されている。
【００４８】
複数の測定機器の情報は、その機器の情報を受信していることを示す情報とすることができる。このとき、このアイコンを選択することにより、この機器からの生体情報のみを確認可能に表示することも可能である。
【００４９】
図５に示すように、処理部２２０は、機器通信部が、端末通信部から送信された送信命令に基づいて、一の識別情報を記憶する複数の測定機器が取り付けられた一の対象者の生体情報を、端末通信部に送信するための、観測者からの指示を受け付けるための指示ボタン２５１を表示画面に表示するための表示情報を生成することができる。
【００５０】
また、図６に示すように、情報処理端末２００は、サーバ装置３００とネットワークを介して接続されることができる。
【００５１】
サーバ装置３００は、サーバ記憶部３１０を有する。
【００５２】
そして、サーバ記憶部３１０は、識別情報と当該識別情報が記憶された測定機器１００が取り付けられた対象者とを対応付けて記憶し、処理部２２０は、端末通信部２１０が受信した複数の識別情報それぞれに対応付けられた対象者を、識別情報に代えて観測者が選択可能に表示するための表示情報を生成することができる。
【００５３】
図７は、上記サーバ記憶部３１０に記憶されるデータ構成の一例を示す図である。図７に示すようなデータを記憶することにより、観測者は、識別情報と対象者の氏名とを関連付けて認識することができる。なお、対象者は、自身の識別番号または氏名を観測者が目視可能な状態・手段で表記しておくのが好ましいが、この手段は特に限定されるものではなく、観測者の目視が不要な状態で電磁的な手段を用いることも可能である。
【００５４】
複数の測定機器１００は、脳内酸素飽和度モニタ、心電計、血圧計、パルスオキシメータまたはエコーから選択される２以上の測定機器とすることができる。
【００５５】
また、予め用意された測定機器のセットに新たな機器が追加された場合でも、この新たな機器に、このセットに対応した識別情報を持たせることで、何ら新たな設定等を必要とすることなく、観測が可能である。
【００５６】
また、本発明は、対象者が多数いる災害現場などで用いる場合により有利な効果を奏する。図８は、災害現場のイメージを示したものであるが、このような多数の対象者Ａ〜Ｆが近距離でいる場合、観測者Ｘ，Ｙは各測定機器からの情報を取り違えることなく観測する必要がある。このような場合であっても、予め機器に識別情報が付与されることにより、観測者Ｘ、Ｙは、自身が所持する情報処理端末で観測したい対象者を選択することで、対象者の生体情報を確認することができる。
【００５７】
続いて、本発明の生体情報モニタリング方法について図９を参照しながら説明する。図９は、本発明の生体情報モニタリング方法の流れを示すフロー図である。
【００５８】
図９に示すように、本発明の生体情報モニタリング方法は、複数の対象者に取り付けられて該対象者の生体情報を測定する複数の測定機器と、該測定機器により測定された対象者の生体情報を表示するための観測者用の携帯可能な情報処理端末とを備える生体情報モニタリングシステムにおける生体情報モニタリング方法であって、複数の測定機器に、測定ステップＳ１０１と、機器記憶ステップＳ１０２と、機器通信ステップＳ１０３とをそれぞれ実行させ、情報処理端末に、端末通信ステップＳ１０４と、処理ステップＳ１０５と、選択受付ステップＳ１０６とを実行させることを特徴とする。
【００５９】
測定ステップＳ１０１は、対象者の生体情報を測定する。測定ステップＳ１０１は、上述した測定部１１０により実行されることができる。
【００６０】
機器記憶ステップＳ１０２は、対象者を特定するための識別情報および測定ステップＳ１０１において測定された生体情報を記憶する。機器記憶ステップＳ１０２は、上述した機器記憶部１２０により実行されることができる。
【００６１】
機器通信ステップＳ１０３は、機器記憶ステップＳ１０２において記憶された識別情報を情報処理端末に送信する。機器通信ステップＳ１０３は、上述した機器通信部１３０により実行されることができる。
【００６２】
端末通信ステップＳ１０４は、複数の対象者に取り付けられた複数の測定機器の機器通信部から送信された複数の識別情報を受信する。端末通信ステップＳ１０４は、上述した端末通信部２１０により実行されることができる。
【００６３】
処理ステップＳ１０５は、複数の識別情報を、観測者が選択可能に表示するための表示情報を生成する。処理ステップＳ１０６は、上述した処理部２２０により実行されることができる。
【００６４】
選択受付ステップＳ１０６は、観測者による複数の識別情報の中からの一の識別情報の選択を受け付ける。選択受付ステップＳ１０６は、上述した選択受付部２３０により実行されることができる。
【００６５】
情報処理端末は、選択受付ステップＳ１０６において受け付けられた一の識別情報を記憶する複数の測定機器が取り付けられた一の対象者の生体情報を送信させるための命令を測定機器へ送信する（Ｓ１０７）。
【００６６】
測定機器は、情報処理端末により送信された送信命令に基づいて、一の識別情報を記憶する複数の測定機器が取り付けられた一の対象者の生体情報を、情報処理端末に送信する（Ｓ１０８）。
【００６７】
情報処理端末は、測定機器が送信して情報処理端末が受信した生体情報を、情報処理端末の表示画面に表示するための表示情報を生成する（Ｓ１０９）。
【００６８】
以上の構成によれば複数の対象者の生体情報を簡易な方法で収集し、モニタリングすることができる。
【００６９】
最後に、本発明の生体情報モニタリングプログラムについて図１０を参照しながら説明する。図１０は、本発明の生体情報モニタリングプログラムの機能構成を示す機能構成図である。
【００７０】
図１０に示すように、本発明の生体情報モニタリングプログラムは、複数の対象者に取り付けられて該対象者の生体情報を測定する複数の測定機器１００と、該測定機器１００により測定された対象者の生体情報を表示するための観測者用の携帯可能な情報処理端末２００とを備える生体情報モニタリングシステムを実現するための生体情報モニタリングプログラムであって、情報処理端末２００に、端末通信機能と、処理機能と、選択受付機能とを実現させるものである。
【００７１】
端末通信機能は、複数の対象者に取り付けられた複数の測定機器から送信された複数の識別情報を受信する。この端末通信機能は、端末通信回路２１０により実現されることができる。
【００７２】
処理機能は、複数の識別情報を、観測者が選択可能に表示するための表示情報を生成する。この処理機能は、処理回路２２０により実現されることができる。
【００７３】
選択受付機能は、観測者による複数の識別情報の中からの一の識別情報の選択を受け付ける。この選択受付機能は、選択受付回路２３０により実現されることができる。
【００７４】
端末通信機能は、選択受付機能において受け付けられた一の識別情報を記憶する複数の測定機器が取り付けられた一の対象者の生体情報を送信させるための命令を測定機器へ送信する。
【００７５】
処理機能は、測定機器が送信して端末通信部が受信した生体情報を、情報処理端末の表示画面に表示するための表示情報を生成する。
【００７６】
以上の構成によれば複数の対象者の生体情報を簡易な方法で収集し、モニタリングすることができる。
【００７７】
上述した本発明のコンピュータプログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。
【００７８】
なお、上記コンピュータプログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【符号の説明】
【００７９】
１０００  生体情報モニタリングシステム
１００  測定機器
１１０  測定部
１２０  機器記憶部
１３０  機器通信部
２００  情報処理端末
２１０  端末通信部
２２０  処理部
２３０  選択受付部
２４０  表示画面
２５０  表示画面
３００  サーバ装置
３１０  サーバ記憶部
【図１】
2019022593.tif 000003
【図２】
2019022593.tif 000004
【図３】
2019022593.tif 000005
【図４】
2019022593.tif 000006
【図５】
2019022593.tif 000007
【図６】
2019022593.tif 000008
【図７】
2019022593.tif 000009
【図８】
2019022593.tif 000010
【図９】
2019022593.tif 000011
【図１０】
2019022593.tif 000012
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、
前記複数の測定機器は、
前記対象者の生体情報を測定する測定部と、
前記対象者を特定するための識別情報および前記測定部により測定された生体情報を記憶する機器記憶部と、
前記機器記憶部により記憶された識別情報を前記情報処理端末に送信する機器通信部と、
をそれぞれ有し、
前記情報処理端末は、
前記複数の対象者に取り付けられた複数の測定機器の機器通信部から送信された複数の識別情報を受信する端末通信部と、
前記複数の識別情報を、前記観測者が選択可能に表示するための表示情報を生成する処理部と、
前記観測者による前記複数の識別情報の中からの一の識別情報の選択を受け付ける選択受付部と、
を有し、
前記端末通信部は、前記選択受付部により受け付けられた一の識別情報を記憶する複数の測定機器が取り付けられた一の対象者の生体情報を送信させるための命令を前記機器通信部へ送信し、
前記機器通信部は、前記端末通信部から送信された送信命令に基づいて、前記一の識別情報を記憶する複数の測定機器が取り付けられた一の対象者の生体情報を、前記端末通信部に送信し、
前記処理部は、前記端末通信部が受信した生体情報を、前記情報処理端末の表示画面に表示するための表示情報を生成し、
前記情報処理端末は、サーバ記憶部を有するサーバ装置とネットワークを介して接続され、
前記サーバ記憶部は、前記識別情報と当該識別情報が記憶された測定機器が取り付けられた対象者とを対応付けて記憶し、
前記処理部は、前記端末通信部が受信した複数の識別情報それぞれに対応付けられた対象者を、前記識別情報に代えて前記観測者が選択可能に表示するための表示情報を生成する生体情報モニタリングシステム。
【請求項２】
前記一の対象者に取り付けられる複数の測定機器に記憶される識別情報は、該複数の測定機器が前記一の対象者に取り付けられていることが識別可能な識別情報であることを特徴とする請求項１に記載の生体情報モニタリングシステム。
【請求項３】
前記複数の測定機器と前記情報処理端末との間の情報の授受は、ＢＬＥ無線通信技術を用いて行われることを特徴とする請求項１または２に記載の生体情報モニタリングシステム。
【請求項４】
前記処理部は、前記観測者により選択された一の識別情報に対応付けられた生体情報を、一つの表示画面内で表示するための表示情報を生成することを特徴とする請求項１〜３のいずれか一項に記載の生体情報モニタリングシステム。
【請求項５】
前記処理部は、前記複数の識別情報を、前記観測者が選択可能に表示するとともに、該識別情報に対応付けられた複数の測定装置の情報も選択可能に表示することを特徴とする請求項１〜４のいずれか一項に記載の生体情報モニタリングシステム。
【請求項６】
前記処理部は、前記機器通信部が、前記端末通信部から送信された送信命令に基づいて、前記一の識別情報を記憶する複数の測定機器が取り付けられた一の対象者の生体情報を、前記端末通信部に送信するための、前記観測者からの指示を受け付けるための指示ボタンを前記表示画面に表示するための表示情報を生成する請求項１〜５のいずれか一項に記載の生体情報モニタリングシステム。
【請求項７】
前記複数の測定機器は、脳内酸素飽和度モニタ、心電計、血圧計、パルスオキシメータまたはエコーから選択される２以上の測定機器であることを特徴とする請求項１〜６のいずれか一項に記載の生体情報モニタリングシステム。
【請求項８】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムにおいて実行される生体情報モニタリング方法であって、
前記複数の測定機器に、
前記対象者の生体情報を測定する測定ステップと、
前記対象者を特定するための識別情報および前記測定ステップにおいて測定された生体情報を記憶する機器記憶ステップと、
前記機器記憶ステップにおいて記憶された識別情報を前記情報処理端末に送信する機器通信ステップと、
をそれぞれ実行させ、
前記情報処理端末に、
前記複数の対象者に取り付けられた複数の測定機器の機器通信部から送信された複数の識別情報を受信する端末通信ステップと、
前記複数の識別情報を、前記観測者が選択可能に表示するための表示情報を生成する処理ステップと、
前記観測者による前記複数の識別情報の中からの一の識別情報の選択を受け付ける選択受付ステップと、
を実行させ、
前記情報処理端末は、前記選択受付ステップにおいて受け付けられた一の識別情報を記憶する複数の測定機器が取り付けられた一の対象者の生体情報を送信させるための命令を前記測定機器へ送信し、
前記測定機器は、前記情報処理端末により送信された送信命令に基づいて、前記一の識別情報を記憶する複数の測定機器が取り付けられた一の対象者の生体情報を、前記情報処理端末に送信し、
前記情報処理端末は、前記測定機器が送信して前記情報処理端末が受信した生体情報を、前記情報処理端末の表示画面に表示するための表示情報を生成し、
前記情報処理端末は、サーバ記憶部を有するサーバ装置とネットワークを介して接続され、
前記サーバ記憶部は、前記識別情報と当該識別情報が記憶された測定機器が取り付けられた対象者とを対応付けて記憶し、
前記処理ステップでは、前記端末通信ステップにおいて受信した複数の識別情報それぞれに対応付けられた対象者を、前記識別情報に代えて前記観測者が選択可能に表示するための表示情報を生成する生体情報モニタリング方法。
【請求項９】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムを実眼するための生体情報モニタリングプログラムであって、
前記情報処理端末に、
前記複数の対象者に取り付けられた複数の測定機器から送信された複数の識別情報を受信する端末通信機能と、
前記複数の識別情報を、前記観測者が選択可能に表示するための表示情報を生成する処理機能と、
前記観測者による前記複数の識別情報の中からの一の識別情報の選択を受け付ける選択受付機能と
を実現させ、
前記端末通信機能は、前記選択受付機能において受け付けられた一の識別情報を記憶する複数の測定機器が取り付けられた一の対象者の生体情報を送信させるための命令を前記測定機器へ送信し、
前記処理機能は、前記測定機器が送信して前記端末通信機能が受信した生体情報を、前記情報処理端末の表示画面に表示するための表示情報を生成し、
前記情報処理端末は、サーバ記憶部を有するサーバ装置とネットワークを介して接続され、
前記サーバ記憶部は、前記識別情報と当該識別情報が記憶された測定機器が取り付けられた対象者とを対応付けて記憶し、
前記処理機能は、前記端末通信機能が受信した複数の識別情報それぞれに対応付けられた対象者を、前記識別情報に代えて前記観測者が選択可能に表示するための表示情報を生成する生体情報モニタリングプログラム。
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、
前記複数の測定機器は、
前記対象者の生体情報を測定する測定部と、
前記対象者を特定するための識別情報および前記測定部により測定された生体情報を記憶する機器記憶部と、
前記機器記憶部により記憶された識別情報を前記情報処理端末に送信する機器通信部と、
をそれぞれ有し、
前記情報処理端末は、サーバ記憶部を有するサーバ装置とネットワークを介して接続され、当該サーバ記憶部は、前記識別情報と当該識別情報が記憶された測定機器が取り付けられた対象者とを対応付けて記憶し、
前記情報処理端末は、
前記複数の対象者に取り付けられた複数の測定機器の機器通信部から送信された複数の識別情報を受信する端末通信部と、
前記端末通信部が受信した複数の識別情報それぞれに対応付けられた対象者を、前記観測者が選択可能に表示するための表示情報を生成する処理部と、
前記観測者による前記対象者の中からの一の対象者の選択を受け付ける選択受付部と、
を有し、
前記端末通信部は、前記選択受付部により受け付けられた一の対象者に対応付けられた一の識別情報を記憶する複数の測定機器が取り付けられた一の対象者の生体情報を送信させるための命令を前記機器通信部へ送信し、
前記機器通信部は、前記端末通信部から送信された送信命令に基づいて、前記一の識別情報を記憶する複数の測定機器が取り付けられた一の対象者の生体情報を、前記端末通信部に送信し、
前記処理部は、前記端末通信部が受信した生体情報を、前記情報処理端末の表示画面に表示するための表示情報を生成する生体情報モニタリングシステム。
【請求項２】
前記一の対象者に取り付けられる複数の測定機器に記憶される識別情報は、該複数の測定機器が前記一の対象者に取り付けられていることが識別可能な識別情報であることを特徴とする請求項１に記載の生体情報モニタリングシステム。
【請求項３】
前記複数の測定機器と前記情報処理端末との間の情報の授受は、ＢＬＥ無線通信技術を用いて行われることを特徴とする請求項１または２に記載の生体情報モニタリングシステム。
【請求項４】
前記処理部は、前記観測者により選択された一の対象者に対応付けられた一の識別情報に対応付けられた生体情報を、一つの表示画面内で表示するための表示情報を生成することを特徴とする請求項１〜３のいずれか一項に記載の生体情報モニタリングシステム。
【請求項５】
前記処理部は、前記対象者を、前記観測者が選択可能に表示するとともに、該対象者に対応付けられた一の識別情報に対応付けられた複数の測定装置の情報も選択可能に表示することを特徴とする請求項１〜４のいずれか一項に記載の生体情報モニタリングシステム。
【請求項６】
前記処理部は、前記機器通信部が、前記端末通信部から送信された送信命令に基づいて、前記一の識別情報を記憶する複数の測定機器が取り付けられた一の対象者の生体情報を、前記端末通信部に送信するための、前記観測者からの指示を受け付けるための指示ボタンを前記表示画面に表示するための表示情報を生成する請求項１〜５のいずれか一項に記載の生体情報モニタリングシステム。
【請求項７】
前記複数の測定機器は、脳内酸素飽和度モニタ、心電計、血圧計、パルスオキシメータまたはエコーから選択される２以上の測定機器であることを特徴とする請求項１〜６のいずれか一項に記載の生体情報モニタリングシステム。
【請求項８】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムにおいて実行される生体情報モニタリング方法であって、
前記複数の測定機器に、
前記対象者の生体情報を測定する測定ステップと、
前記対象者を特定するための識別情報および前記測定ステップにおいて測定された生体情報を記憶する機器記憶ステップと、
前記機器記憶ステップにおいて記憶された識別情報を前記情報処理端末に送信する機器通信ステップと、
をそれぞれ実行させ、
前記情報処理端末は、サーバ記憶部を有するサーバ装置とネットワークを介して接続され、当該サーバ記憶部は、前記識別情報と当該識別情報が記憶された測定機器が取り付けられた対象者とを対応付けて記憶し、
前記情報処理端末に、
前記複数の対象者に取り付けられた複数の測定機器の機器通信部から送信された複数の識別情報を受信する端末通信ステップと、
前記端末通信部が受信した複数の識別情報それぞれに対応付けられた対象者を、前記観測者が選択可能に表示するための表示情報を生成する処理ステップと、
前記観測者による前記対象者の中からの一の対象者の選択を受け付ける選択受付ステップと、
を実行させ、
前記情報処理端末は、前記選択受付ステップにおいて受け付けられた一の対象者に対応付けられた一の識別情報を記憶する複数の測定機器が取り付けられた一の対象者の生体情報を送信させるための命令を前記測定機器へ送信し、
前記測定機器は、前記情報処理端末により送信された送信命令に基づいて、前記一の識別情報を記憶する複数の測定機器が取り付けられた一の対象者の生体情報を、前記情報処理端末に送信し、
前記情報処理端末は、前記測定機器が送信して前記情報処理端末が受信した生体情報を、前記情報処理端末の表示画面に表示するための表示情報を生成する生体情報モニタリング方法。
【請求項９】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムを実現するための生体情報モニタリングプログラムであって、
前記情報処理端末は、サーバ記憶部を有するサーバ装置とネットワークを介して接続され、当該サーバ記憶部は、前記識別情報と当該識別情報が記憶された測定機器が取り付けられた対象者とを対応付けて記憶し、
前記情報処理端末に、
前記複数の対象者に取り付けられた複数の測定機器から送信された複数の識別情報を受信する端末通信機能と、
前記端末通信部が受信した複数の識別情報それぞれに対応付けられた対象者を、前記観測者が選択可能に表示するための表示情報を生成する処理機能と、
前記観測者による前記対象者の中からの一の対象者の選択を受け付ける選択受付機能と
を実現させ、
前記端末通信機能は、前記選択受付機能において受け付けられた一の対象者に対応付けられた一の識別情報を記憶する複数の測定機器が取り付けられた一の対象者の生体情報を送信させるための命令を前記測定機器へ送信し、
前記処理機能は、前記測定機器が送信して前記端末通信機能が受信した生体情報を、前記情報処理端末の表示画面に表示するための表示情報を生成する生体情報モニタリングプログラム。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、
前記複数の測定機器は、
一の対象者に取り付けられ得る他の測定機器とともに予めセットとして管理され、
当該測定機器が含まれるセットを識別し、これにより当該セットの測定機器が取り付けられる対象者を識別可能な識別情報が予め付与され、
前記対象者の生体情報を測定する測定部と、
前記識別情報および前記測定部により測定された生体情報を記憶する機器記憶部と、
前記機器記憶部により記憶された識別情報を前記情報処理端末に送信する機器通信部と、
をそれぞれ有し、
前記情報処理端末は、
前記複数の対象者に取り付けられた複数の測定機器の機器通信部から送信された複数の識別情報を受信する端末通信部と、
前記観測者に、前記複数の識別情報を選択可能に表示するための表示情報を生成する処理部と、
前記観測者により、前記複数の識別情報から一の識別情報の選択を受け付ける選択受付部と、
を有し、
前記端末通信部は、前記選択受付部により受け付けられた一の識別情報を記憶する複数の測定機器が取り付けられた一の対象者の生体情報を送信させるための命令を前記機器通信部へ送信し、
前記機器通信部は、前記端末通信部から送信された送信命令に基づいて、前記一の識別情報を記憶する複数の測定機器が取り付けられた一の対象者の生体情報を、前記端末通信部に送信し、
前記処理部は、前記端末通信部が受信した生体情報を、前記情報処理端末の表示画面に表示するための表示情報を生成する生体情報モニタリングシステム。
【請求項２】
前記複数の測定機器と前記情報処理端末との間の情報の授受は、ＢＬＥ無線通信技術を用いて行われることを特徴とする請求項１に記載の生体情報モニタリングシステム。
【請求項３】
前記処理部は、前記観測者により選択された一の対象者に対応付けられた一の識別情報に対応付けられた生体情報を、一つの表示画面内で表示するための表示情報を生成することを特徴とする請求項１または２に記載の生体情報モニタリングシステム。
【請求項４】
前記処理部は、前記機器通信部が、前記端末通信部から送信された送信命令に基づいて、前記一の識別情報を記憶する複数の測定機器が取り付けられた一の対象者の生体情報を、前記端末通信部に送信するための、前記観測者からの指示を受け付けるための指示ボタンを前記表示画面に表示するための表示情報を生成する請求項１〜３のいずれか一項に記載の生体情報モニタリングシステム。
【請求項５】
前記情報処理端末は、サーバ記憶部を有するサーバ装置とネットワークを介して接続され、
前記サーバ記憶部は、前記識別情報と当該識別情報が記憶された測定機器が取り付けられた対象者とを対応付けて記憶する請求項１〜４のいずれか一項に記載の生体情報モニタリングシステム。
【請求項６】
前記複数の測定機器は、脳内酸素飽和度モニタ、心電計、血圧計、パルスオキシメータまたはエコーから選択される２以上の測定機器であることを特徴とする請求項１〜５のいずれか一項に記載の生体情報モニタリングシステム。
【請求項７】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムにおいて実行される生体情報モニタリング方法であって、
前記複数の測定機器は、一の対象者に取り付けられ得る他の測定機器とともに予めセットとして管理され、各測定機器は、当該測定機器が含まれるセットを識別し、これにより当該セットの測定機器が取り付けられる対象者を識別可能な識別情報が予め付与され、
前記複数の測定機器に、
前記対象者の生体情報を測定する測定ステップと、
前記識別情報および前記測定ステップにおいて測定された生体情報を記憶する機器記憶ステップと、
前記機器記憶ステップにおいて記憶された識別情報を前記情報処理端末に送信する機器通信ステップと、
をそれぞれ実行させ、
前記情報処理端末に、
前記複数の対象者に取り付けられた複数の測定機器の機器通信部から送信された複数の識別情報を受信する端末通信ステップと、
前記観測者に、前記複数の識別情報を選択可能に表示するための表示情報を生成する処理ステップと、
前記観測者により、前記複数の識別情報から一の識別情報の選択を受け付ける選択受付ステップと、
を実行させ、
前記情報処理端末は、前記選択受付ステップにおいて受け付けられた一の識別情報を記憶する複数の測定機器が取り付けられた一の対象者の生体情報を送信させるための命令を前記測定機器へ送信し、
前記測定機器は、前記情報処理端末により送信された送信命令に基づいて、前記一の識別情報を記憶する複数の測定機器が取り付けられた一の対象者の生体情報を、前記情報処理端末に送信し、
前記情報処理端末は、前記測定機器が送信して前記情報処理端末が受信した生体情報を、前記情報処理端末の表示画面に表示するための表示情報を生成する生体情報モニタリング方法。
【請求項８】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムを実現するための生体情報モニタリングプログラムであって、
前記複数の測定機器は、一の対象者に取り付けられ得る他の測定機器とともに予めセットとして管理され、各測定機器は、当該測定機器が含まれるセットを識別し、これにより当該セットの測定機器が取り付けられる対象者を識別可能な識別情報が予め付与され、
前記情報処理端末に、
前記複数の対象者に取り付けられた複数の測定機器から送信された複数の識別情報を受信する端末通信機能と、
前記観測者に、前記複数の識別情報を選択可能に表示するための表示情報を生成する処理機能と、
前記観測者により、前記複数の識別情報から一の識別情報の選択を受け付ける選択受付機能と
を実現させ、
前記端末通信機能は、前記選択受付機能において受け付けられた一の識別情報を記憶する複数の測定機器が取り付けられた一の対象者の生体情報を送信させるための命令を前記測定機器へ送信し、
前記処理機能は、前記測定機器が送信して前記端末通信機能が受信した生体情報を、前記情報処理端末の表示画面に表示するための表示情報を生成する生体情報モニタリングプログラム。